(57)【特許請求の範囲】
【請求項１】
ａ）微結晶セルロース、および、
ｂ）置換度が０．４５〜０．８５であって、組成物の重量に対して５％〜２５％の量の第１のカルボキシメチルセルロース、および、置換度が０．９〜１．５である第２のカルボキシメチルセルロース、および、
ｃ）組成物の重量に対して５％〜５０％の量の少なくとも１種の付加的な親水コロイド、を含む安定化剤組成物であって、
前記組成物は、以下の一連の製造ステップ、つまり、
ｉ．十分な摩耗作用および相互作用を得るために、微結晶セルロースのウェットケーキを置換度が０．４５〜０．８５であって、組成物の重量に対して５％〜２５％の量の第１のカルボキシメチルセルロースとともに共押し出し成形するステップ、
ｉｉ．（ａ）ステップｉの微結晶セルロース：カルボキシメチルセルロースの押し出し成形物、前記少なくとも１種の付加的な親水コロイドおよび前記第２のカルボキシメチルセルロースを含む水分散体を調製するステップ、または、
（ｂ）少なくとも１種の付加的な親水コロイドおよび前記第２のカルボキシメチルセルロースを、ステップｉの製品に混合した後、混合物を押し出し成形するステップ、のいずれかを実行するステップ、および、
ｉｉｉ．ステップｉｉの製品を乾燥するステップ、によって製造され、
前記少なくとも１種の付加的な親水コロイドは、デンプンおよび加工デンプン、水溶性および水分散性のガム、多糖類、および合成ポリマー、ペクチン、ヒドロキシプロピルセルロース、ヒドロキシプロピルメチルセルロース、アルギン酸塩、カラヤガム、キサンタンガム、アラビアガム、ゲランガム、ＰＧＡ、カラギーナン、トラガント、ガラクトマンナン、蒟蒻の主成分であるグルコマンナン、タマリンドシードガム、およびこれらの混合物からなる群から選ばれる、
安定化剤組成物。
【請求項２】
請求項１の安定化剤組成物を含む食用に適する食品製品。
【請求項３】
さらに、フルーツ、野菜、穀物、ナッツ、肉、および酪農食品からなる群から選ばれる少なくとも１種の食品を含む、
請求項２の食品製品。
【請求項４】
エマルション、飲料、ソース、スープ、シロップ、ドレッシング、フィルム、冷菓、発酵食品、パンの詰め物、パンのクリーム、超高温およびレトルト加工されたタンパク質および栄養補助飲料、超高温加工されたｐＨの低いタンパク質系の飲料、超高温加工されたＣａ強化飲料、高温およびレトルト加工されたミルククリーム、含気酪農食品系、および含気非酪農食品系の形態である、
請求項３の食品製品。
【発明の詳細な説明】
【技術分野】
【０００１】
本発明は、水性媒体中において、安定化剤および分散剤として使用する微結晶セルロース：カルボキシメチルセルロースの組成物とともに、該組成物の製造方法に関する。
【背景技術】
【０００２】
微結晶セルロースは、ＭＣＣまたはセルロースゲルとしても知られ、最終の食品製品の性質または特性を向上させるために、一般に、食品分野で使用される。例えば、微結晶セルロースは、飲料を含む食品用途では、バインダ兼安定化剤、および安定化剤として使用されてきた。また、微結晶セルロースは、製薬錠剤中においてバインダ兼崩壊剤として使用され、液体の医薬製剤中において懸濁化剤として使用され、工業用途、洗剤および／または漂白剤の錠剤などの家庭用品、農業製剤、および歯磨粉および化粧品などのパーソナルケア製品おいてバインダ、崩壊剤、および加工助剤として使用されてきた。
【０００３】
微結晶セルロースは、鉱酸、好ましくは、塩酸で、セルロース源、好ましくは、繊維状の植物材料から得られるパルプの形態をとるアルファセルロースを処理して製造される（酸加水分解）。前記酸は、セルロースポリマー鎖の配列の程度が劣る領域を選択的に攻撃し、それによって、微結晶セルロースを構成する結晶集合体を形成する結晶サイトを露にして攻撃されやすくする（ｆｒｅｅｉｎｇ）。その後、これらは反応混合物から分離されて、分解される副生成物を除去するために洗浄される。その結果生じる湿った集合物は、一般に、４０〜６０パーセントの水分を含み、当該技術分野では、「加水分解セルロース」、「加水分解セルロースのウェットケーキ」、「レベルオフＤＰセルロース」、「微結晶セルロースのウェットケーキ」、または単なる「ウェットケーキ」を含むいくつかの名称で呼ばれる。
【０００４】
旧来のＭＣＣの製造プロセスは、精製されたセルロースの酸加水分解であり、Ｏ．Ａ．Ｂａｔｔｉｓｔａが先駆者である（特許文献１、２、および３）。ＭＣＣの品質を維持または改良するとともに、コストを低減する試みでは、種々の代替プロセスが提案されてきた。これらの内訳は、蒸気爆砕（特許文献４、Ｈａら）、反応押出成形（特許文献５、Ｈａｎｎａら）、１ステップの加水分解と漂白（特許文献６、Ｓｃｈａｉｂｌｅら）、および酸素および／または二酸化炭素ガスで加圧され、１００〜２００℃で運転する反応器内での半結晶セルロースと水反応性溶剤との部分的な加水分解（特許文献７、Ｂｅｒｇｆｅｌｄら）である。
【０００５】
微結晶セルロースおよび／または加水分解セルロースのウェットケーキは、種々の用途のために、改変されてきた。食品製品において、該セルロースは、ゲル化剤、増粘剤、脂肪代替品および／またはノンカロリーのフィラーとして、並びに、懸濁安定化剤および／または調質剤として使用される。該セルロースは、医薬品および化粧品のローションおよびクリームにおいて、エマルション安定化剤および懸濁化剤としても使用される。このような用途の改変は、微結晶セルロースまたはウェットケーキを、大きな摩擦（高剪断）力に曝して実行される。その結果、微結晶は、実質的に細分化されて、微細化粒子が製造される。もっとも、粒子の大きさが小さくなるにつれ、個々の粒子は、乾燥時に集合し、角状になる傾向がある。（カルボキシメチルセルロースナトリウム（ＣＭＣ）などの）保護コロイドが、磨耗中または磨耗後であるが乾燥前に添加されてもよい。前記保護コロイドによって、小径粒子間に作用する水素または他の結合力の全部または一部が無効にされる。コロイド状の微結晶セルロースとは、例えば、特許文献８（Ｄｕｒａｎｄら）に開示された、カルボキシメチルセルロースで被覆される微結晶セルロースである。この添加物によって、乾燥後の材料の再分散も促進される。得られる材料は、摩耗済みの微結晶セルロースまたはコロイド状の微結晶セルロースと呼ばれることが多い。
【０００６】
水中に分散されているときに、コロイド状の微結晶セルロースは、粒径が１ミクロン未満の微結晶セルロース粒子とともに、白色の、不透明な、揺変性のゲルを形成する。（米国のペンシルバニア州のフィラデルフィアにある）エフ・エム・シー・コーポレーションは、この製品の種々のグレードを製造販売している。この製品には、特に、アヴィセル（ＡＶＩＣＥＬ（登録商標））およびゲルスター（ＧＥＬＳＴＡＲ（登録商標））という名称で呼ばれ、共処理される微結晶セルロースおよびカルボキシメチルセルロースナトリウムが含まれる。
【０００７】
しかしながら、ゲル強度が高められ、安定性が高められ、および他の所望のレオロジー特性を有し、種々の用途、特に、食品製品において有用であるコロイド状の微結晶セルロース組成物を得る必要がある。
【先行技術文献】
【特許文献】
【０００８】
【特許文献１】米国特許第２９７８４４６号明細書
【特許文献２】米国特許第３０２３１０４号明細書
【特許文献３】米国特許第３１４６１６８号明細書
【特許文献４】米国特許第５７６９９３４号明細書
【特許文献５】米国特許第６２２８２１３号明細書
【特許文献６】国際公開第０１／０２４４号
【特許文献７】米国特許第５５４３５１１号明細書
【特許文献８】米国特許第３５３９３６５号明細書
【発明の概要】
【課題を解決するための手段】
【０００９】
本発明は、
ａ）微結晶セルロースのウェットケーキを、置換度（ＤＳ）が０．４５〜０．８５であって、組成物の総重量に対して５％〜２５％の量の第１のカルボキシメチルセルロースと混合するステップと、
ｂ）ステップａ）の製品を押し出し成形するステップと、
ｃ）ｉ）置換度（ＤＳ）が０．９〜１．５であって、組成物の総重量に対して２％〜２０％の量の第２のカルボキシメチルセルロースをステップｂ）の製品中に混合した後、押し出し成形するステップ、またはｉｉ）ステップｂ）の微結晶セルロース：カルボキシルメチルセルロースの押し出し成形物、および置換度（ＤＳ）が０．９〜１．５である第２のカルボキシルメチルセルロースを含み、前記第２のカルボキシメチルセルロースが、組成物の総重量に対して２％〜２０％の量で存在する、水分散体を調製するステップ、のいずれかを実行するステップと、
ｄ）ステップｃ）の製品を乾燥するステップと、を含む、
安定化剤組成物の製法を包含する。
【００１０】
ステップｃ）の第２のカルボキシメチルセルロースは、組成物の総重量に対して４％〜８％の量であると好ましい。第１のカルボキシメチルセルロースは、置換度（ＤＳ）が約０．７であるカルボキシメチルセルロースナトリウムであると好ましく、第２のカルボキシメチルセルロースは、置換度（ＤＳ）が約１．２であるカルボキシメチルセルロースナトリウムであると好ましい。乾燥ステップは、噴霧乾燥、流動層乾燥、フラッシュ乾燥、またはバルク乾燥によるものであってもよい。
【００１１】
さらなる実施形態は、本開示の方法で製造される安定化剤組成物を含む食品製品を包含する。さらなる実施形態は、医薬品製品、栄養補助製品、ヘルスケア製品、化粧品製品、パーソナルケア製品、消費製品、農業用製品、または化学製剤についての使用に適する、安定化剤組成物を含む工業用懸濁液を包含する。
【００１２】
本発明の付加的な実施形態は、微結晶セルロース、および置換度（ＤＳ）が０．４５〜０．８５であって、組成物の総重量に対して５％〜２５％の第１のカルボキシメチルセルロースおよび置換度（ＤＳ）が０．９〜１．５であって、組成物の総重量に対して２％〜２０％の第２のカルボキシメチルセルロースの混合物を含む安定化剤組成物である。ここで、該安定化剤組成物は、２．６％の固形分濃度で水中に分散した状態で、初期粘度が少なくとも７５０ｃｐｓであり、セットアップ時の粘度が少なくとも３２００ｃｐｓであり、セットアップ時のゲル強度Ｇ’が少なくも２０Ｐａである。
【００１３】
本発明のさらなる実施形態は、ａ）微結晶セルロース、およびｂ）ｉ）置換度が０．４５〜０．８５であって、組成物の重量に対して５％〜２５％である第１のカルボキシメチルセルロースおよびｉｉ）置換度が０．９〜１．０である第２のカルボキシメチルセルロースとの混合物を含む安定化剤組成物である。ここで、前記組成物は、以下の一連の製造ステップ、つまり、１）十分な磨耗作用および相互作用を得るために、微結晶セルロースのウェットケーキを置換度（ＤＳ）が０．４５〜０．８５である第１のカルボキシメチルセルロースとともに共押し出し成形するステップ、２）ｉ）置換度０．９〜１．０の第２のカルボキシメチルセルロースをステップ１の製品中に混合してから押し出し成形するステップ、またはｉｉ）ステップ１の微結晶セルロース：カルボキシメチルセルロースの押し出し成形物および置換度（ＤＳ）が０．９〜１．０である第２のカルボキシメチルセルロースを含む水分散体を調製するステップ、のいずれかを実行するステップ、および３）ステップ２の製品を乾燥するステップ、によって製造される。
【００１４】
本発明のさらなる実施形態は、ａ）微結晶セルロース、ｂ）置換度（ＤＳ）が０．４５〜０．８５であって、組成物の重量に対して５％〜２５％の量のカルボキシメチルセルロース、およびｃ）組成物の重量に対して５％〜５０％の量の少なくとも１種の付加的な親水コロイド、を含む安定化剤組成物である。ここで、前記組成物は、以下の一連の製造ステップ、つまり、ｉ）十分な摩耗作用および相互作用を得るために、微結晶セルロースのウェットケーキを置換度（ＤＳ）が０．４５〜０．８５であって、組成物の重量に対して５％〜２５％の量のカルボキシメチルセルロースとともに共押し出し成形するステップ、ｉｉ）（ａ）ステップｉの微結晶セルロース：カルボキシメチルセルロースの押し出し成形物および少なくとも１種の付加的な親水コロイドを含む水分散体を調製するステップ、または（ｂ）ステップｉの製品に対して、少なくとも１種の付加的な親水コロイドを混合した後、混合物を押し出し成形するステップ、のいずれかを実行するステップ、およびｉｉｉ）ステップｉｉ）の製品を乾燥するステップ、によって製造される。
【００１５】
前述の実施形態の他の特徴および利益は、以下の詳細な説明と特許請求の範囲から明らかになるであろう。開示の実施形態は、単に、例示的なものであり、説明的なものであって、本発明を限定するものと解釈されるべきではない。
【発明を実施するための形態】
【００１６】
本発明は、塩溶液である摩耗助剤（ａｔｔｒｉｔｉｎｇ  ａｉｄ）を用いずに、低および高程度の置換度（ＤＳ）を有するカルボキシメチルセルロースとともに製造されるコロイド状の微結晶セルロースを包含する。得られる製品は、食用に適する食品製品中において、安定化剤として有用である。さらに、本発明は、置換度（ＤＳ）が高いＣＭＣ（カルボキシメチルセルロース）と混合されるＭＣＣ（微結晶セルロース）のウェットケーキを直接押し出し加工処理するという試みを解決するプロセスを包含する。
【００１７】
本発明によれば、高性能のコロイド状のＭＣＣを製造するために、置換度（ＤＳ）が高いＣＭＣまたは他の「滑りやすい（ｓｌｉｐｐｅｒｙ）」親水コロイドを使用できる。一実施形態では、ＭＣＣのウェットケーキは、置換度（ＤＳ）が低いＣＭＣとともに押し出し成形された後に、続いて、置換度（ＤＳ）が高いＣＭＣまたは他の「滑りやすい（ｓｌｉｐｐｅｒｙ）」親水コロイドとともに、第１の押し出し成形物を押し出し成形（あるいは該第１の押し出し成形物に分散し混合）する。この方法では、摩耗助剤（ａｔｔｒｉｔｉｎｇ  ａｉｄ）として、塩を要しない。
【００１８】
一実施形態では、十分な押し出し加工／磨耗は、２またはそれ以上のステップで実行されてもよい。例えば、ＭＣＣのウェットケーキおよび置換度（ＤＳ）が低いＣＭＣは、最初に、押し出し成形／摩耗され、次に、置換度（ＤＳ）が高いＣＭＣを添加されて、押し出し成形／摩耗される。
【００１９】
本発明者らは、理論に囚われずに、最初に、置換度（ＤＳ）が低く、ＭＣＣ／ＣＭＣの相互作用に十分な影響を及ぼす第１のＣＭＣとともに、ＭＣＣのウェットケーキの粒子を押し出し成形し、該粒子を覆うと、次に、置換度（ＤＳ）が高い第２のＣＭＣ（および、押し出し組成物中に直接的に有効に含むには「滑りやす（ｓｌｉｐｐｅｒｙ）」過ぎる他のもの）は、ＭＣＣ：ＣＭＣ粒子上に固定される置換度（ＤＳ）が低い第１のＣＭＣの表面を覆って、該表面に結合できるとともに、ＭＣＣ表面の残部を覆うこともできると確信している。このように作成された、スプレー乾燥後の製品粉末は、極めて低い剪断条件を適用した場合であっても、優れた分散特性を有するであろう。
【００２０】
「コロイド」および「コロイド状」は、混合物中に懸濁されてもよい粒子を定義するために、本明細書において互換可能に使用される。当業者に公知のように、コロイド粒子は、ある特定の平均粒径のものである。例えば、約０．１〜１０ミクロンのオーダーである。本願明細書で記載されるコロイド粒子は、コロイド状の懸濁液を形成できるのであれば、全ての好適な粒径であってもよい。
【００２１】
「ゲル」とは、軟質の、固体の、または固体様状の材料であり、少なくとも２種の成分からなるものを言う。成分の１つは、大量に存在する液体である（Ａｌｍｄａｌ，Ｋ．，Ｄｙｒｅ，Ｊ．，Ｈｖｉｄｔ，Ｓ．，Ｋｒａｍｅｒ，Ｏ．；Ｔｏｗａｒｄｓ  ａ  ｐｈｅｎｏｍｏｌｏｇｉｃａｌ  ｄｅｆｉｎｉｔｉｏｎ  ｏｆ  ｔｈｅ  ｔｅｒｍ‘ｇｅｌ’．Ｐｏｌｙｍｅｒ  ａｎｄ  Ｇｅｌ  Ｎｅｔｗｏｒｋｓ  １９９３，１，５−１７）。
【００２２】
「ゲル強度Ｇ」とは、可逆的に保存される系のエネルギー（弾性係数Ｇ’）のことを言い、本願明細書では、組成物に対しては、セルロース濃度の関数になっている。ゲル強度Ｇの測定は、１Ｈｚおよび２０℃での振動歪み掃引条件にし、ギャップサイズを１．８ｍｍにし、ティー・エイ・インスツルメントのレオメーター（ＡＲＥＳ−ＲＦＳ３）を用いて行う。試験は、脱イオン水中に固形分が２．６％分散された組成物を２４時間かけてセットアップして行う。
【００２３】
（脱イオン水中に２．６％で材料の固形分が分散された）活性化された組成物の初期粘度を得るため、ブルックフィールド粘度試験が使用される。この試験は、２４時間後の粘度を得るために繰り返される。好適なスピンドルを有するＲＴＶ粘度計が、２０℃〜２３℃において、２０ｒｐｍの条件で使用される。
【００２４】
（微結晶セルロースのウェットケーキ）
あらゆる原料から得られる微結晶セルロースのウェットケーキが、本発明の方法で用いられてもよい。ＭＣＣを得ることができる好適な原料には、例えば、（晒し亜硫酸塩パルプ（ｂｌｅａｃｈｅｄ  ｓｕｌｆｉｔｅ  ｐｕｌｐ）および硫酸塩パルプなどの）木材パルプ（ｗｏｏｄ  ｐｕｌｐ）、トウモロコシの皮、バガス、麦わら、綿、コットンリンター、亜麻、大麻、苧麻（ちょま）、海藻、セルロース、および発酵セルロースが含まれる。原料には、さらに、晒し針葉樹クラフトパルプ、晒し広葉樹クラフトパルプ、晒しユーカリクラフトパルプ、製紙用パルプ、フラッフパルプ（ｆｌｕｆｆ  ｐｕｌｐ）、溶解パルプ、および非木材の晒しセルロース質パルプが含まれる。一実施形態では、使用されるＭＣＣは、アメリカ食品医薬品局によって人による消費が認可されているものである。
【００２５】
（カルボキシメチルセルロース）
使用されるカルボキシメチルセルロースは、カルボキシメチルセルロースのアルカリ金属塩であると好ましい。例えば、ＣＭＣのナトリウム、カリウム、またはアンモニウム塩である。最適には、カルボキシメチルセルロースは、ＣＭＣナトリウムである。
【００２６】
ＣＭＣは、特に、存在する置換度（ＤＳ）によって特徴付けられる。置換度は、アンヒドログルコース単位ごとに置換される水酸基の平均数を表している。例えば、ＣＭＣ中において、各アンヒドログルコース単位は、３個の水酸基を含む。これらの水酸基によって、ＣＭＣの置換度（ＤＳ）は、理論上、最大３．０になる。２個の市販のカルボキシメチルセルロースは、（米国のデラウェア州のウィルミントンにあるアッシュランド・インコーポレーテッドの）アクアロン（登録商標）７ＬＦ（低粘度）およびアクアロン（登録商標）７ＭＦ（中粘度）であり、両者の置換度（ＤＳ）は０．７である。これは、１０個のアンヒドログルコース単位ごとに、平均７個のカルボキシメチル基があることを示している。置換度（ＤＳ）が高く、中粘度を示すＣＭＣは、（アッシュランドの）１２Ｍ８Ｆである。別の置換度（ＤＳ）が高く、中粘度を示すＣＭＣは、（アッシュランドの）１２Ｍ３１Ｐである。置換度（ＤＳ）が高く、高粘度を示すＣＭＣは、（アッシュランドの）９Ｈ７Ｆ  ＣＭＣである。さらなるＣＭＣは、（アッシュランドの）ＤｒｉｓＰａｃ  ＣＭＣである。
【００２７】
本発明では、２種類の置換度の範囲のカルボキシメチルセルロースを用いる。第１のカルボキシメチルセルロースの置換度は、約０．４５〜約０．８５である。いくつかの実施形態では、第１のカルボキシメチルセルロースの置換度は０．４５〜０．８０である。さらに他の実施形態では、第１のカルボキシメチルセルロースの置換度は約０．７である。第２のカルボキシメチルセルロースの置換度は０．９〜１．５である。さらに、他の実施形態では、第２のカルボキシメチルセルロースの置換度は、０．９〜１．２である。本発明の方法で使用するために考案される、第１および第２のカルボキシメチルセルロースは、それぞれ低いおよび高い置換度を有し、かつ、種々の程度の粘度を有する。
【００２８】
これらの組成物に含まれるＭＣＣおよびカルボキシメチルセルロースの量は、ＭＣＣ：カルボキシメチルセルロースの重量比が、それぞれ約５０：５０〜約９５：５となるようにされる。ＭＣＣ：ＣＭＣの重量比が、それぞれ約９５：５〜約７０：３０の範囲にあると好ましい。重量比が８５：１５であると最適である。
【００２９】
得られる組成物を形成する方法も本願明細書に開示される。該方法は、微結晶セルロースのウェットケーキとともに置換度（ＤＳ）が低い第１の水溶性のカルボキシメチルセルロースを混合することを含む。ここで、カルボキシメチルセルロースに対する微結晶セルロースの重量比は約５０：５０〜約９５：５である。各成分を均質混合するのに影響を及ぼすように、湿潤混合物が押し出し成形される。置換度が高い第２の水溶性のカルボキシメチルセルロースは、コロイド状のＭＣＣ：ＣＭＣの押し出し成形物中に混合される。
【００３０】
本明細書中で使用されるように、「摩耗される」および「摩耗」という用語は、互換可能に使用され、粒子の全てではないにしても、少なくとも一部の粒子の大きさをコロイドの大きさにまで有効に低減する処理を意味する。該処理は、ＣＭＣと混合する前のＭＣＣのウェットケーキ、または、ＭＣＣウェットケーキとＣＭＣとの混合物のいずれかに剪断力を付与する機械的な処理である。「共摩耗」は、ＭＣＣおよびＣＭＣ成分の混合物に高剪断力を加えることを指すために用いられる。好適な摩耗条件は、例えば、共押し出し成形、粉砕、または混練によって得られてもよい。押し出し成形物は、乾燥されてもよいし、あるいはスラリーを形成するために水中に分散されてもよい。現在のＭＣＣの製造において利用するような種々の種類の押出機に加えて、ウェットケーキまたはＭＣＣ：ＣＭＣを摩耗する他の装置の例には、圧縮ロール／ベルト、カレンダロール（ｃａｌｅｎｄａｒｉｎｇ  ｒｏｌｌ）、機械的なリファイナディスク（ｒｅｆｉｎｅｒ  ｄｉｓｃ）、超音波リファイナ、（微小流体デバイスを含む）高圧ホモジナイザー、高圧縮型のプラネタリー混合機、および衝撃波／キャビテーションデバイスが含まれる。
【００３１】
押し出し成形されたコロイド状のＭＣＣ：ＣＭＣは水中に分散されて、スラリーを形成する。スラリーはホモジナイズされて、噴霧乾燥され得る。噴霧乾燥により形成される乾燥粒子は、所望の水性媒体または溶液中に戻されて、本願明細書に記載される組成物、食用に適する食品製品、および工業用懸濁液を形成し得る。押し出し成形される混合物は、噴霧乾燥以外の処理、例えば、流動層乾燥、ドラム乾燥、バルク乾燥、およびフラッシュ乾燥などでも乾燥され得る。
【００３２】
先の各実施形態の他の特徴および利益は、以下の詳細な説明と特許請求の範囲から明らかになるであろう。先の一般的な記載および特定の実施形態の詳細な説明は、単に、例示的なものであり、説明的なものであって、本発明を限定するものと解釈されるべきではない。
【００３３】
（用途）
さらに、本発明の組成物から形成される食用に適する食品製品が開示される。これらの食品製品には、エマルション、飲料、フィルム、ソース、スープ、ドレッシング、酪農および非酪農牛乳および製品、冷菓、および発酵食品が含まれてもよい。食用に適する食品製品は、さらに、タンパク質、フルーツジュース、野菜ジュース、フルーツ味の物質、またはこれらの全ての組み合わせを含む、種々の食用に適する材料および添加物を含むことができる。さらに、医薬品製品、栄養補助製品、化粧品製品、パーソナルケア製品、農業製品、または化学製剤に適した本発明の組成物を含む非食品の多数の懸濁液が開示される。
【００３４】
開示される組成物は、多数の工業および消費用途を有する安定化剤として作用できる。これらの用途は、食品および飲料産業に関するもの、あるいは医薬品、ヘルスケア、および他の工業的な用途の懸濁液に関するものである。粉末形態に乾燥した後、該組成物は、水性溶液に混合されて、コロイド混合物を形成し得る。いくつかの実施形態では、該組成物は、極めて長期間、公知の組成物よりも過酷な条件下において、コロイドの性質を維持する。本願明細書に記載される組成物を用いて形成される食用に適する食品製品のいくつかによって、ｐＨが酸性の条件であっても、長期間、安定なコロイド特性が得られる。食用に適する食品製品のいくつかの例には、以下のものが含まれる。つまり、（特に、ｐＨが低く／塩濃度が高いタイプの）ソース、レトルトのスープ、スプーンですくうことができる（ｓｐｏｏｎａｂｌｅ）ドレッシングと注ぐことができる（ｐｏｕｒａｂｌｅ）ドレッシングとの両者を含むドレッシング、例えば、低温殺菌法または超低温殺菌法によって熱処理されるもの、または超高温処理法（ＵＨＴ）または高温短時間殺菌法（ＨＴＳＴ）あるいはレトルト処理を用いて熱処理されるものを含む飲料、ＵＨＴおよびレトルト処理されるタンパク質および栄養補助飲料、ＵＨＴ処理されるｐＨの低いタンパク質系の飲料、ＵＨＴ処理されるカルシウム（Ｃａ）強化飲料、ＵＨＴ処理される乳飲料、ＵＨＴおよびレトルト処理されるミルククリーム、ｐＨの低い冷菓（例えば、フルーツシャーベット）、含気酪農および非酪農系の食品系、発酵食品（サワークリーム、ヨーグルト）、およびパンの詰め物またはクリームである。パンの詰め物中にあるコロイド状のＭＣＣ：ＣＭＣの組成物によって、オーブンで焼いている間、詰め物は優れた安定性を示す。考案された食品製品中で使用される組成物の量は、食品製品の総重量に対して、約０．０５％〜約３．５％の範囲にでき、いくつかの例では、食品製品の総重量に対して、０．２％〜２％にできる。これらの食用に適する食品製品のいくつかでは、長期間の安定性を補助するために、補助的な安定化剤が加えられ得る（例えば、付加的なＣＭＣが約０．０５％〜約０．５％の量で加えられ得る）。
【００３５】
いくつかの実施形態では、本発明の組成物を含む食用に適する食品製品が得られる。これらの食品製品は、例えば、野菜またはフルーツの果肉、岩塩、タンパク源、フルーツジュース、酸味料、甘味料、緩衝剤、ｐＨ調整剤、安定化塩、またはこれらの組み合わせなどの他の食用に適する食品製品を含むこともできる。当業者であれば、いくつもの他の成分、例えば、付加的な香味料、着色料、防腐剤、ｐＨ緩衝剤、栄養補助剤、加工助剤などが添加されてもよいことを理解するであろう。付加的な食用に適する成分は、可溶性にすることもできるし、あるいは不溶性にすることもできる。不溶性の場合、付加的な食用に適する成分は、食品製品中に懸濁される。いくつかの食用に適する食品製品では、組成物は、一般に、安定化剤、タンパク質、および／またはフルーツジュースから構成される（例えば、（果肉などの）固体および果汁を含むフルーツジュースは、安定化剤組成物を加えることにより、容易に安定化される）。ジュースだけ、またはタンパク質だけを有する該混合物では、安定化剤組成物を含む組成物と飲料混合物中で使用される安定化剤組成物の量とは、所望の安定性の結果を維持するのに応じて調整される必要があってもよい。ありふれた方法で、このように組成物を調整することは、十分に当業者の能力の範囲内であり、本発明の範囲および目的に含まれる。これらの食用に適する食品製品は、乾燥済みの混合製品（インスタントソース、肉汁、スープ、インスタントココア飲料など）、ｐＨの低い酪農系（サワークリーム／ヨーグルト、ヨーグルト飲料、固められたフローズンヨーグルトなど）、焼き菓子、および非含水性の食品系および水分の少ない食品系中に存在する充填剤のようなものである。
【００３６】
安定化剤組成物を含む好適なジュースには、（これらに限られる訳ではないが、レモンジュース、ライムジュース、およびオレンジジュース（レモネード、ライムネード、またはオレンジネードなどの変形例を含む）、白色または赤色のグレープジュース、グレープフルーツジュース、アップルジュース、洋梨ジュース、クランベリージュース、ブルーベリージュース、ラズベリージュース、チェリージュース、パイナップルジュース、ザクロジュース、マンゴージュース、アプリコットジュースまたは果汁、ストロベリージュース、およびキウイジュースを含む）フルーツジュース、および（これらに限られる訳ではないが、トマトジュース、キャロットジュース、セロリジュース、ビートジュース、パセリジュース、ほうれん草ジュース、およびレタスジュースを含む）野菜ジュースが含まれる。ジュースは、ゲルまたは他の濃縮物、氷またはシャーベット、あるいは粉末などの液体、固体、または半固体の形態を含む、どのような形態であってもよく、懸濁された固体を含んでもよい。別の実施形態では、天然由来の味付けをされた、人工的に味付けをされた、あるいは他の天然の風味（「ＷＯＮＦ」）を有するものを含むフルーツ味または他の加糖物質が、フルーツジュースの代わりに用いられてもよい。このようなフルーツ風味の物質も、粉末、ゲルまたは他の濃縮物、氷、またはシャーベットなどの液体、固体、または半固体の形態であってもよく、懸濁された固体を含んでもよい。
【００３７】
食用に適し、安定化剤組成物を含む食品製品に好適なタンパク質には、食用タンパク質およびアミノ酸が含まれる。これらは、哺乳類、鳥類、爬虫類、および魚類に有益である可能性がある。食用タンパク質には、動物または植物のタンパク質および画分またはこれらの誘導体が含まれる。動物由来のタンパク質には、牛乳および牛乳由来の製品が含まれる。例えば、ヘビークリーム、ライトクリーム、全乳、低脂肪乳、スキムミルク、タンパク質強化牛乳、超加熱処理および／または濃縮処理を含む加工される牛乳および乳製品を含む強化牛乳、加糖または非加糖のスキムミルクまたは全乳、全乳の粉末および脱脂の乾燥ミルク（ＮＦＤＭ）を含む乾燥済みの牛乳の粉末、カゼインおよびカゼイン塩、ホエイおよびホエイ濃縮物、非ラクトース型のホエイ、鉱質を除去したホエイ、ホエイプロテインアイソレートなどのホエイ由来の製品などである。卵および卵由来のタンパク質が用いられてもよい。植物由来のタンパク質には、ナッツ、ナッツ由来のタンパク質、モロコシ、未加工の大豆、液体の大豆、大豆濃縮物、大豆アイソレートなどの大豆および大豆由来の製品などのマメ科植物およびマメ科植物由来のタンパク質、きな粉および米タンパク質、並びにこれらの全ての形態および画分が含まれる。食用タンパク質は、液体、濃縮物または粉末状を含む、入手可能な全ての形態で使用されてもよい。もっとも、粉末状のタンパク源を用いるときは、得られる飲料物をさらに安定させるために、安定化剤組成物およびジュースを混合する前に、タンパク質を予め水和すると好ましい場合がある。タンパク質が野菜または果物ジュースとともに添加される場合、使用量は、所望の最終結果によるであろう。タンパク質の量の典型的な範囲は、８オンスごとに約１〜約２０グラムである。もっとも、安定であり、食用に適する結果として得られる食品製品（飲料物など）の取り扱いは、用途に大きく依存するかもしれない。
【００３８】
本発明の組成物、または安定化剤組成物が使用されてもよい他の製品および用途には、工業用懸濁液が含まれる。いくつかの実施形態では、工業用懸濁液は、医薬品、化粧品、パーソナルケア製品、農業用製品、または化学製剤での用途に適した本発明の組成物を含む。工業的な用途のいくつかの例には、薬効成分（例えば、ＡＰＡＰ、アスピリン、イブプロフェンなど）を矯味する咀嚼錠剤用の賦形剤、懸濁化剤、医薬品用途における徐放剤、食品、医薬品、および農業用途における香味剤および栄養補助剤用の伝達システム、錠剤、フィルム、および懸濁液などの医薬品の剤形として使用され得る直接圧縮型の徐放剤、パーソナルケア用途において、泡、クリーム、およびローション中で使用され得る増粘剤、セラミックス、着色剤、化粧品、およびオーラルケア中において、色素およびフィラーとともに使用され得る懸濁化剤、セラミックスのような材料、殺虫剤を含む伝達システム、および他の農業用製品が含まれる。
【００３９】
ある実施形態では、組成物は、一般に、微結晶セルロースおよび少なくとも１種の水溶性のカルボキシメチルセルロースを含み、乾燥混合物として調製される。付加的な親水コロイド、界面活性剤、活性物質、およびフィラーのうちの少なくとも１種が、前記乾燥混合物に添加され得る。好適な実施形態では、付加的な親水コロイドが、前記乾燥混合物に添加される。前記乾燥混合物は、所望の食品、医薬品、工業、または化粧品製品または用途において、服用され、安定化剤を活性化するのに適するように、十分な水に加熱攪拌して分散され得る好適な中間生成物である。
【００４０】
代替の実施形態では、付加的な親水コロイド、界面活性剤、活性物質、およびフィラーのうちの少なくとも１種が、一般に、微結晶セルロースおよび少なくとも１種の水溶性のカルボキシメチルセルロースを含むスラリーに添加される。その後、前記スラリーは噴霧乾燥される。
【００４１】
好適な付加的な親水コロイドは、食品工業において、任意に使用され得る。これらの親水コロイドは、これらに限られる訳ではないが、例えば、高メトキシル（「ＨＭ」）および低メトキシルペクチンならびにアセチル化ペクチン（ビートペクチンなど）を含むペクチン、置換の程度が低いカルボキシメチルセルロース（「ＣＭＣ」）、置換の程度が高い（「高置換度（ＤＳ）」）カルボキシメチルセルロース（「ＣＭＣ」）、ヒドロキシプロピルセルロース、ヒドロキシプロピルメチルセルロース、アルギン酸塩、カラヤガム、キサンタンガム、アラビアガム、ゲランガム、ＰＧＡ、カラギーナン、トラガント、およびガラクトマンナン（グアーガム、ローカストビーンガム、タラガム、カシアガムなど）、蒟蒻の主成分であるグルコマンナン、タマリンドシードガム、およびこれらの混合物などの、デンプンおよび加工デンプン、水溶性および水分散性のガム、多糖類、並びに合成高分子を含む。いくつかの実施形態では、付加的な親水コロイドは、デンプン、キサンタンガム、高置換度（ｈｉｇｈ  ＤＳ）のＣＭＣまたはペクチンである。デンプンの一例は、（ナショナル・スターチ社から入手される）ナショナル・フリゲックス・エイチ・ヴィー（Ｎａｔｉｏｎａｌ  Ｆｒｉｇｅｘ  ＨＶ）などのタピオカデンプンである。タマリンドシードガム系の製品は、ｐＨの低いタンパク質飲料用途で使用され得る。この例には、ｐＨの低い大豆飲料、酸性のミルクジュース、および発酵乳製品が含まれる。
【００４２】
付加的な親水コロイドは、多方面で使用され得る。ある実施形態では、付加的な親水コロイドは、本願明細書に記載される安定化剤組成物を製造する間に、乾燥混合物またはスラリーに添加される。例えば、親水コロイドは、混合物の全体が一度に噴霧乾燥されるように、噴霧乾燥の直前にスラリーに添加される。次に、結果物として得られる、付加的な親水コロイドを加えた安定化剤組成物の混合物は、包装され保管されて、本願明細書に記載される、食品、医薬品、工業用、または化粧品製品を製造する間に、単一の手段として添加されてもよい。
【００４３】
代替の実施形態では、付加的な親水コロイドは、製造時の追加のステップにおいて、製造されている特定の製品に適する量だけ添加される。
【００４４】
付加的な親水コロイドは、最終的な食品、医薬品、工業用、または化粧品製品において、ＭＣＣ：カルボキシメチルセルロースの組成物の安定化機能を高めるのに十分な量だけ使用される。例えば、飲料中では、補助的な安定化剤が、最終的な飲料中での漿液の分離を低減するのに十分な量だけ使用され得る。
【００４５】
好適な界面活性剤には、これらに限られる訳ではないが、ＨＬＢが１〜４０である、イオン性または非イオン性のものが含まれる。活性物質が組成物に添加されてもよく、該活性物質には、これらに限られる訳ではないが、栄養補助剤、ビタミン、ミネラル、着色剤、甘味料、香味料、芳香剤、唾液の分泌を刺激する成分、食品、オーラルケア成分、息を爽やかにする成分、医薬成分、農業成分、治療成分、化粧成分、化学物質、緩衝剤、またはｐＨ調整剤が含まれる。活性物質は、その放出特性を変更するために、カプセル化され、あるいは他の処理または処置を施され得る。
【００４６】
使用される特定のフィラーは、混合物および／または所望の製品を改変する能力次第である。不溶性のフィラーは、二酸化チタンなどの色素、およびゲル粒子、セルロースまたは微結晶セルロースなどの不溶性であるが、膨潤性を有するフィラーであり、該不溶性のフィラーによって、活性化される安定化剤とともに、懸濁液または分散体が形成される。この代わりに、フィラーは水溶性および水に容易に溶解できるものであり得る。該フィラーは、砂糖またはマルトデキストリンなど、あるいは、特定の処理条件下において、反応性が高い、例えば、ｐＨに対する感度が高いか、または温度に対する感度が高く、可溶である炭酸カルシウムなどである。
【００４７】
ｐＨが低い相とタンパク質の相とを備える食用に適する製品または飲料を製造する場合、単一の相において、食用に適する製品または飲料を製造することによって、所望の安定レベルを得ることもできる。このような単一の相の処理では、安定化剤組成物および任意に追加される親水コロイドは、水中に分散されてもよい。その後、これらに限られる訳ではないが、タンパク質、フルーツジュース、酸味料、緩衝剤、甘味剤、ｐＨ調整剤、消泡剤、および塩を含む、付加的な成分が単一の相における本発明の組成物に添加されてもよい。全ての付加的な成分を添加する順番は、食用に適する製品または飲料を形成する間と形成後の両方において、タンパク質を確実に保護するように選ばれるべきである。
【００４８】
付加的な成分は、本明細書に開示される、食用に適する組成物、または食用に適する食品製品に添加されてもよい。添加するのに好適なこのような付加的な成分は、これらに限られる訳ではないが、あらゆる製造段階で、ジュースまたはタンパク質成分のいずれかに添加されてもよい、（クエン酸、リンゴ酸、酒石酸、リン酸、酢酸、および乳酸などを含む）酸味料などのｐＨ調整剤、（炭酸塩、クエン酸塩、リン酸塩、硫酸塩、リンゴ酸塩などを含む）緩衝剤、あるいは、（砂糖、コーンシロップ、果糖などの）甘味料、（アスパルテームなどの）甘味度の高い甘味料、（スクラロースなどの）甘味料代替物、または（ソルビトール、マンニトール、およびマルチトールなどの）糖アルコールを含むことができる。一実施形態では、スクラロース、アスパルテーム、またはアススルファムＫなどの糖代替物が使用されて、炭水化物含量が低い組成物が結果として製造される。さらに、適用可能な添加物には、香味料、着色剤、乳化剤、防腐剤、マルトデキストリンなどのフィラー、アルコール組成物、濃縮物、栄養添加物（カルシウム、つまり、マレイン酸カルシウムまたは他の鉱物、ビタミン、ハーブサプリメントなど）が含まれる。任意的な成分である、消泡剤などの加工助剤も、これらの用途において使用されてもよい。
【００４９】
本願明細書に開示される食用に適する食品製品の多くは、安定化剤組成物から利益を得ることができる。該安定化剤組成物は、食用に適する食品製品であって、ｐＨの低い液体を含む。結果として得られるｐＨは、約２．５よりも高く約７．０よりも低い。一実施形態では、食品製品のｐＨは、約２．８と約６．５の間にある。さらなる実施形態では、食品製品のｐＨは、約３．０と約６．０の間にある。ｐＨを約５．５より低くすることもできる。組成物は、本質的に、アルコール性のもの、または非アルコール性のもののいずれかにすることができる。
【００５０】
最終的な飲料組成物は、様々な方法で、熱処理によって加工されてもよい。これらの方法には、これらに限られる訳ではないが、低温殺菌法、超低温殺菌法、高温短時間殺菌法（「ＨＴＳＴ」）、および超高温処理法（「ＵＨＴ」）が含まれてもよい。これらの飲料組成物は、回転式レトルトまたは静置式レトルト加工のいずれかによって、レトルト処理されてもよい。ジュース添加用の、あるいは天然または人工的な風味のソフトドリンクなどの、いくつかの組成物は、冷却加工されてもよい。これらの加工の多くには、ホモジナイゼーションまたは他の剪断方法が含まれてもよい。これらは、共乾燥組成物であってもよい。該共乾燥組成物は、乾燥固体の形態で調製でき、次に、消費するために、必要に応じて元に戻されると都合がよい。結果物として得られる飲料組成物は、商業的に許容される期間、冷蔵され保存されてもよい。代替案では、結果物として得られる飲料組成物は、無菌状態で充填されるという条件で、常温で保管されてもよい。
【００５１】
いくつかの実施形態では、開示される食用に適する食品製品は、保存安定性が高められていたので、商品としての魅力が高かった。安定な組成物は、許容可能な水準の保存安定性を示すものである。保存安定性とは、製品の所望の保存寿命に渡って、１または複数の以下の製品特性を意味することを意図する。つまり、液体系においては、沈降が最小または沈降がなく、漿液の分離が最小または漿液の分離がなく、クリーミングが最小またはクリーミングがなく、まだらが最小またはまだらがなく、波打ちがなく、ゲルの局在化またはゲル化がない、懸濁液である。固体、半固体、ゲル、泡またはフィルム系においては、漿液の分離が最小または漿液の分離がなく、脱気されたものまたは集合体状のものである。さらに、凍結系の場合は、氷晶の大きさの成長または数の増加を低減または回避にするものである。上記の記載で使用されるように、沈降が最小とは、存在するあらゆる沈降物が、振動することで容易に系内に戻ることでできる遊離した沈降物として存在することを意味する。上記の記載で使用されるように、漿液の分離が最小とは、液体系が２５０ｍＬのフラスコ中に見られる場合、５ｍｍ未満の漿液が存在することを意味する。いくつかの実施形態では、食用に適する食品製品は、（組成物中で使用されるカルボキシメチルセルロースに含まれない）補助的な安定化剤を要さずに、保存能力を高めることができる。例えば、キサンタンガムなどの補助的な安定化剤を欠くいくつかのソースは、相対粘度を長時間維持することを示す。該期間は、いくつかの例では少なくとも６ヶ月である。
【００５２】
本発明をさらに詳細に記載するために、以下に非限定的な例を示す。
【実施例】
【００５３】
［比較材料１：アヴィセル（ＡＶＩＣＥＬ（登録商標））ＲＣ−５９１］
アヴィセル（ＡＶＩＣＥＬ（登録商標））ＲＣ−５９１は、分散性のあるコロイド状のＭＣＣであって、粘度が中程度であり、置換度（ＤＳ）が低いＣＭＣからなる。該ＭＣＣは、ペンシルベニア州のフィラデルフィアにあるエフ・エム・シー・コーポレーションによって製造される。該ＭＣＣは、粘度を制御および変更するためと、揺変性を有することにより、食品および医薬品の懸濁液中で使用される。該ＭＣＣは、熱および凍結融解に対して安定であり、長期の有効保存期間に渡って安定であり、ｐＨ４−１１の範囲で安定であり、無臭／無味である。
【００５４】
脱イオン水中に１．２％の固形分濃度で分散された場合、固形分が分散された溶液は、常温での初期のブルックフィールド粘度が４０〜１７５ｃｐｓであり、２４時間後のセットアップ時の粘度が９００〜１６００ｃｐｓであった。２４時間のセットアップ後に、固形分が１．２％の分散体がテキサス・インスツルメント製のレオメーターで測定された場合、そのゲル強度Ｇ’は２３Ｐａを示した。水中に固形分が２．６％分散された場合、ゲル強度Ｇ’は３０Ｐａになった。
【００５５】
［実施例１：共押し出し成形された後に１２Ｍ３１Ｐ・ＣＭＣ中に混合された、ＭＣＣ：ＣＭＣ・７ＬＦ］
最初に、８５％のＭＣＣのウェットケーキが１５％のＣＭＣ・７ＬＦ（アッシュランド製）と共押し出し成形された。次に、ＭＣＣ：ＣＭＣ・７ＬＦの押し出し成形物は、水中に分散され、ＭＣＣ：ＣＭＣ・７ＬＦの総重量を基準にして、５重量％の１２Ｍ３１Ｐ・ＣＭＣ（アッシュランド製）と混合された。その後、混合系は、ホモジナイズされ、噴霧乾燥されて粉末になった。最終的な粉末は、８１％のＭＣＣ、１４．２％のＣＭＣ・７ＬＦ、および４．８％のＣＭＣ・１２Ｍ３１Ｐから構成された。
【００５６】
常温において、２．６％の固形分濃度で、製造された粉末を脱イオン水中で活性化すると、初期粘度は２２５０ｃｐｓであり、セットアップ時（２４時間）の粘度は６７００ｃｐｓであった。２．６％の固体の分散体は、２４時間のセットアップ後にテキサス・インスツルメント製のレオメーターで測定された。該分散体のセットアップ時のゲル強度Ｇ’は６８Ｐａを示した。コロイドの含量は８９．２％であった。
【００５７】
［比較例１ａ：共押し出し成形されたＭＣＣのウェットケーキ：７ＬＦ・ＣＭＣ：１２Ｍ３１Ｐ・ＣＭＣ］
最初に、８１％のＭＣＣのウェットケーキ、１４．２％のＣＭＣ・７ＬＦ、および４．８％のＣＭＣ・１２Ｍ３１Ｐを共押し出し成形した。押し出し成形物は、滑りやすいものであった。これは、置換度（ＤＳ）が高いＣＭＣ・１２Ｍ３１Ｐの濃度に起因するものである。押し出し成形によって、制作物の十分な特徴・外形は得られなかった。その後、押し出し成形物は水中に再分散され、ホモジナイズされ、噴霧乾燥されて粉末になった。
【００５８】
常温において、２．６％の固形分濃度で、粉末を脱イオン水中で活性化すると、初期粘度は１４０ｃｐｓであり、セットアップ時の粘度は１８００ｃｐｓであった。固形分が２．６％の分散体は、２４時間のセットアップ後にテキサス・インスツルメント製のレオメーターで測定された。該分散体のセットアップ時のゲル強度Ｇ’は極めて低く、６Ｐａであった。コロイドの含量は５９．８％であった。
【００５９】
［比較例１ｂ：ＭＣＣ：ＣＭＣ・７ＬＦ製品と１２Ｍ３１Ｐ・ＣＭＣ粉末との乾燥混合粉末］
市販のコロイド製品（８５％のＭＣＣ：１５％のＣＭＣ・７ＬＦ）の乾燥粉末を、（ＭＣＣ：ＣＭＣ・７ＬＦの総重量を基準として）５重量％のＣＭＣ・１２Ｍ３１Ｐ（アッシュランド製）と乾燥混合した。組み合わされた粉末は、２．６％の固形分濃度で、脱イオン水中に分散されて活性化された。この系は、８１％のＭＣＣ、１４．２％のＣＭＣ・７ＬＦ、および４．８％のＣＭＣ・１２Ｍ３１から構成された。この系の初期粘度は、常温で３８０ｃｐｓであり、セットアップ時（２４時間）の粘度は２３００であり、セットアップ時のゲル強度Ｇ’は極めて低く、８Ｐａであった。コロイドの含量は６７．７％であった。
【００６０】
［実施例２：共押し出し成形した後、４．８％の１２Ｍ３１Ｐ・ＣＭＣに混合された９０％のＭＣＣ：１０％の７ＬＦ・ＣＭＣ］
最初に、９０％のＭＣＣのウェットケーキを１０％のＣＭＣ・７ＬＦ（アッシュランド製）と共押し出し成形した。次に、ＭＣＣ：ＣＭＣ・７ＬＦの押し出し成形物を水中に分散し、ＭＣＣ：ＣＭＣ・７ＬＦの総重量を基準として、５重量％の１２Ｍ３１Ｐ・ＣＭＣ（アッシュランド製）と混合した。その後、混合系をホモジナイズし、噴霧乾燥して粉末にした。最終的な粉末は、８５．７％のＭＣＣ、９．５％のＣＭＣ・７ＬＦ、および４．８％のＣＭＣ・１２Ｍ３１Ｐから構成された。
【００６１】
常温において、２．６％の固形分濃度で、粉末を脱イオン水中で活性化すると、初期粘度は２１５０ｃｐｓであり、セットアップ時の粘度は４６００ｃｐｓであり、セットアップ時のゲル粘度Ｇ’は６５Ｐａであった。コロイドの含量は８９．３％であった。
【００６２】
［実施例２ａ：共押し出し成形した、８５．７％のＭＣＣ：９．５％の７ＬＦ・ＣＭＣ：４．８％の１２Ｍ３１Ｐ・ＣＭＣ］
３種の成分、８５．７％のＭＣＣのウェットケーキ、９．５％の７ＬＦ・ＣＭＣ、および４．８％の１２Ｍ３１Ｐ・ＣＭＣを共押し出し成形した。押し出し成形物は、滑りやすく、制作物の十分な特徴・外形は得られなかった。押し出し成形物は、水中に分散され、ホモジナイズされ、噴霧乾燥されて粉末にされた。
【００６３】
常温において、２．６％の固形分濃度で、粉末を脱イオン水中で活性化すると、初期粘度は２００ｃｐｓであり、２４時間後のセットアップ時の粘度は１６５０であり、セットアップ時のゲル強度Ｇ’は７Ｐａであった。コロイドの含量は５３．６％であった。
【００６４】
［実施例３：共押し出し成形後、４．８％の９Ｈ７Ｆ・ＣＭＣと混合された（８５％のＭＣＣ／１５％のＣＭＣ・７ＬＦ）］
最初に、８５％のＭＣＣのウェットケーキを１５％のＣＭＣ・７ＬＦ（アッシュランド製）と共押し出し成形した。次に、ＭＣＣ：ＣＭＣ・７ＬＦの押し出し成形物を水中に分散し、ＭＣＣ：ＣＭＣ・７ＬＦの総重量を基準として、５重量％の９Ｈ７Ｆ・ＣＭＣ（アッシュランド製）と混合した。その後、混合系はホモジナイズされ、噴霧乾燥されて粉末にされた。最終的な粉末は、８１％のＭＣＣ、１４．２％のＣＭＣ・７ＬＦ、および４．８％のＣＭＣ・９Ｈ７Ｆから構成された。
【００６５】
常温において、２．６％の固形分濃度で、製造された粉末を脱イオン水中で活性化すると、初期粘度は５０００ｃｐｓであり、セットアップ時の粘度は６４００ｃｐｓであり、セットアップ時のゲル強度Ｇ’は３０Ｐａであった。
【００６６】
［比較例３ａ：９Ｈ７Ｆ・ＣＭＣと共押し出し成形されたＭＣＣ］
ＭＣＣのウェットケーキを９Ｈ７Ｆ・ＣＭＣ（アッシュランド製）と、８５：１５の重量比で共押し出し成形した。次に、ＭＣＣ：ＣＭＣの共押し出し成形物は、分散され、ホモジナイズされ、噴霧乾燥されて粉末にされた。
【００６７】
常温において、２．６％の固形分濃度で、製造された粉末を脱イオン水中で活性化すると、初期粘度は１３６００ｃｐｓであり、２４時間後のセットアップ時の粘度は１００００ｃｐｓであった。セットアップ時のゲル強度Ｇ’は１８Ｐａであった。
【００６８】
［実施例４：共押し出し成形後、４．８％のドリスパック（Ｄｒｉｓ  Ｐａｃ）ＣＭＣに混合された（８５％のＭＣＣ：１５％のＣＭＣ・７ＬＦ）］
最初に、８５％のＭＣＣのウェットケーキを１５％のＣＭＣ・７ＬＦ（アッシュランド製）と共押し出し成形した。次に、ＭＣＣ：ＣＭＣ・７ＬＦの押し出し成形物を水中に分散し、ＭＣＣ：ＣＭＣ・７ＬＦの総重量を基準として、５重量％のドリスパック（Ｄｒｉｓ  Ｐａｃ）ＣＭＣ（アッシュランド製）と混合した。その後、混合系はホモジナイズされ、噴霧乾燥されて粉末にされた。最終的な粉末は、８１％のＭＣＣ、１４．２％のＣＭＣ・７ＬＦ、および４．８％のドリスパック（Ｄｒｉｓ  Ｐａｃ）ＣＭＣから構成された。
【００６９】
常温において、２．６％の固形分濃度で、製造された粉末を脱イオン水中で活性化すると、初期粘度は２６００ｃｐｓであり、セットアップ時の粘度は５２５０ｃｐｓであり、セットアップ時のゲル強度Ｇ’は３０Ｐａであった。
【００７０】
［実施例５：共押し出し成形後、第２のＣＭＣと混合された（８８％のＭＣＣ：６％のＣＭＣ・７ＬＦ：６％のＣＭＣ・７ＭＦ）］
ＭＣＣのウェットケーキを７ＬＦ・ＣＭＣおよび７ＭＦ・ＣＭＣと、重量比８８：６：６で共押し出し成形した。次に、実験室用の共同方向回転二軸押出機のもう一度の工程によって、押し出し成形物をさらに押し出した。
【００７１】
事例５Ａ）比較例の試料
最終的な押し出し成形物は、脱イオン水中に再分散され、噴霧乾燥されて粉末にされた。該押し出し成形物は、２．６５の固形分濃度で水中に分散された場合、初期の粘度は３７００ｃｐｓであり、２４時間後のセットアップ時の粘度は７０００ｃｐｓであった。Ｇ’は７０Ｐａであった。この製品は、極めて緩やかな剪断条件で水中に分散され、この製品の水分散体の取り扱いの容易さは、この実施例中の以下の他の製品に対する参照例として使用された。
【００７２】
事例５Ｂ）本発明の試料
最終的な押し出し成形物は、脱イオン水中に分散された。該脱イオン水には、置換度（ＤＳ）が高いＣＭＣ  Ａｑｕａｌｏｎ  １２Ｍ３１Ｐが、既に（全押し出し成形物の重量を基準として）５％溶解されていた。次に、この配合物は噴霧乾燥され粉末にされた。該配合物は、２．６％の固形分濃度で水中に分散された場合、初期の粘度が４３００ｃｐｓであり、２４時間後のセットアップ時の粘度が６１００ｃｐｓであった。Ｇ’は９０Ｐａであった。緩やかな剪断条件で攪拌した場合、この製品は、視覚的な観察で確認すると、事例５Ａと比べて、素早く、かつ容易に分散された。
【００７３】
事例５Ｃ）本発明の試料
最終的な押し出し成形物は、脱イオン水中に分散された。該脱イオン水には、置換度（ＤＳ）が高いＣＭＣ  Ａｑｕａｌｏｎ  １２Ｍ３１Ｐが、既に（全押し出し成形物の重量を基準として）１０％溶解されていた。次に、この配合物は噴霧乾燥され粉末にされた。該配合物は、２．６％の固形分濃度で水中に分散された場合、初期の粘度が４４００ｃｐｓであり、２４時間後のセットアップ時の粘度が７４００ｃｐｓであった。Ｇ’は９２Ｐａであった。緩やかな剪断条件で攪拌した場合、この製品は、視覚的な観察によると、事例５Ａと比べて、素早く、かつ容易に分散された。
【００７４】
事例５Ｄ）比較例の試料
最終的な押し出し成形物は、脱イオン水中に分散された。該脱イオン水には、粘度が低く置換度が低いＣＭＣ  Ａｑｕａｌｏｎ  ７ＬＦが、既に（全押し出し成形物の重量を基準として）５％溶解されていた。次に、この配合物は噴霧乾燥され粉末にされた。該配合物は、２．６％の固形分濃度で水中に分散された場合、初期の粘度が３０５０ｃｐｓであり、２４時間後のセットアップ時の粘度が７４００ｃｐｓであった。Ｇ’は６０Ｐａであった。緩やかな剪断条件で攪拌した場合、この製品は、視覚的な観察で確認すると、事例５Ａと比べて、素早く、かつ容易に分散されが、置換度（ＤＳ）が高いＣＭＣを用いた事例５Ｂおよび５Ｃほど良好ではなかった。
【００７５】
［実施例６：共押し出し成形後、タマリンドシードガムに混合された（８５％のＭＣＣ：１５％のＣＭＣ・７ＬＦ）］
ＭＣＣのウェットケーキは、８５：１５の重量比で、７ＬＦ・ＣＭＣとともに共押し出し成形された。次に、押し出し成形物は、脱イオン水中に再分散され、１５重量％のタマリンドシードガムと混合された。次に、この系は、ホモジナイズされ、噴霧乾燥されて粉末にされた。
【００７６】
常温において、２．６％の固形分濃度で、粉末を脱イオン水中で活性化すると、初期粘度は１１００ｃｐｓであり、セットアップ時の粘度は４２７５ｃｐｓであり、セットアップ時のゲル強度Ｇ’は５０Ｐａであった。
【００７７】
食品用途（ＦＡ）
［実施例ＦＡ１：濃縮ラズベリーを基体とし、ブリックスが４０°および５０°である加熱時に安定なフルーツの詰め物］
試料は、Ａ）コロイド状のＭＣＣであって、比較材料１に記載されるようなエフ・エム・シーで作成される適用量範囲のアヴィセル（Ａｖｉｃｅｌ（登録商標））ＲＣ５９１、およびＢ）実施例１に記載されるような本発明による適用量範囲のゲル粘度の高いコロイド状のＭＣＣを用いて調製された。
【００７８】
【表１】
0006495380.tif 000002
【００７９】
【表２】
0006495380.tif 000003
【００８０】
（加工）
コロイド状のＭＣＣ、他の乾燥粉末、および水分は別個に量り分けられた。最初に、シルバーソン（Ｓｉｌｖｅｒｓｏｎ）の混合機を用いて、コロイド状のＭＣＣを１０分間高剪断混合して、水中に分散した。次に、グルコースシロップを４０℃で前以て加熱し、他の乾燥粉末とともに、該グルコースシロップを前述の混合機物に加えた。次に、該製品を緩やかに混合しながら、水浴中で９０℃まで加熱した。次に、フルーツの濃縮物を加え、滑らかになるまで混合した。最後に、クエン酸を加え、滑らかになるまで混合し、該製品を適当な容器内に高温状態で入れた。
【００８１】
（加熱安定性試験）
加熱安定性は、保形性を測定することにより判定された。保形性は、所与の温度で一定量の時間加熱後に、初期の形状および容積を保持するフルーツを入れた調合物の能力として定義される。製パン用のオーブンは、２００℃まで前以て加熱された。カップ（３０ｍｌ）を試料製品で満たした。３０ｍｌのカップから得られる充填物は、オーブンプレートの製パン用のシート上にある紙シートの同心円の中央部に置かれた。プレートはオーブンの中央部に配置された。同心円の１６本の軸上での材料の幅広がりは、加熱前と加熱後に記録された。充填物は、２００℃で１０分間加熱された。材料の幅広がりの平均値が、百分率として計算された（つまり、加熱前の平均値と加熱後の平均値）。
【００８２】
（試料の評価）
加熱安定性の結果を表ＦＡ１．１と表ＦＡ１．２に記載する。
【００８３】
【表ＦＡ１．１】
0006495380.tif 000004
【００８４】
【表ＦＡ１．２】
0006495380.tif 000005
【００８５】
（結論）
試料Ｂ（本発明）は、良好から極めて良好までの加熱安定性（つまり、幅広がりの％が小さい）を示した。
【００８６】
（付記）
（付記１）
ａ）微結晶セルロースのウェットケーキを、置換度が０．４５〜０．８５であって、組成物の総重量に対して５％〜２５％の量の第１のカルボキシメチルセルロースと混合するステップと、
ｂ）ステップａ）の製品を押し出し成形するステップと、
ｃ）ｉ）置換度が０．９〜１．５であって、組成物の総重量に対して２％〜２０％の量の第２のカルボキシメチルセルロースをステップｂ）の製品中に混合した後、押し出し成形するステップ、または、
ｉｉ）ステップｂ）の微結晶セルロース：カルボキシメチルセルロースの押し出し成形物、および置換度が０．９〜１．５である第２のカルボキシメチルセルロースを含み、前記第２のカルボキシメチルセルロースが、組成物の総重量に対して２％〜２０％の量で存在する、水分散体を調製するステップ、のいずれかを実行するステップと、
ｄ）ステップｃ）の製品を乾燥するステップと、を含む、
安定化剤組成物の製法。
【００８７】
（付記２）
ステップｃ）において、前記第２のカルボキシメチルセルロースは、組成物の総重量に対して４％〜８％の量である、
付記１の製法。
【００８８】
（付記３）
前記第１のカルボキシメチルセルロースは、置換度が約０．７のカルボキシメチルセルロースナトリウムであり、前記第２のカルボキシメチルセルロースは、置換度が約１．２のカルボキシメチルセルロースナトリウムである、
付記１の製法。
【００８９】
（付記４）
前記乾燥ステップｄ）は、噴霧乾燥、流動層乾燥、フラッシュ乾燥、またはバルク乾燥である、
付記１の製法。
【００９０】
（付記５）
ａ）微結晶セルロース、および、
ｂ）置換度が０．４５〜０．８５であって、組成物の総重量に対して５％〜２５％の量の第１のカルボキシメチルセルロース、および置換度が０．９〜１．５であって、組成物の総重量に対して２％〜２０％の第２のカルボキシメチルセルロースの混合物を、含む安定化剤組成物であって、
前記安定化剤組成物は、２．６％の固形分濃度で水中に分散した状態で、初期粘度が少なくとも７５０ｃｐｓであり、セットアップ時の粘度が少なくとも３２００ｃｐｓであり、セットアップ時のゲル強度Ｇ’が少なくとも２０Ｐａである、
安定化剤組成物。
【００９１】
（付記６）
ａ）微結晶セルロース、および、
ｂ）ｉ）置換度が０．４５〜０．８５であって、組成物の重量に対して５％〜２５％の量の第１のカルボキシメチルセルロース、および、
ｉｉ）置換度が０．９〜１．０である第２のカルボキシメチルセルロース、を含む安定化剤組成物であって、
前記組成物は、以下の一連の製造ステップ、つまり、
１．十分な摩耗作用および相互作用を得るために、微結晶セルロースのウェットケーキを置換度が０．４５〜０．８５である第１のカルボキシメチルセルロースとともに共押し出し成形するステップ、
２．ｉ）置換度が０．９〜１．０である第２のカルボキシメチルセルロースをステップ１の製品中に混合してから押し出し成形するステップ、または、
ｉｉ）ステップ１の微結晶セルロース：カルボキシメチルセルロースの押し出し成形物および置換度が０．９〜１．０である第２のカルボキシメチルセルロースを含む水分散体を調製するステップ、のいずれかを実行するステップ、および、
３．ステップ２の製品を乾燥するステップ、によって製造される、
安定化剤組成物。
【００９２】
（付記７）
付記１または付記６の安定化剤組成物を含む、食用に適する食品製品。
【００９３】
（付記８）
さらに、フルーツ、野菜、穀物、ナッツ、肉、および酪農食品からなる群から選ばれる少なくとも１種の食品を含む、
付記７の食品製品。
【００９４】
（付記９）
エマルション、飲料、ソース、スープ、シロップ、ドレッシング、フィルム、冷菓、発酵食品、パンの詰め物、パンのクリーム、超高温およびレトルト加工されたタンパク質および栄養補助飲料、超高温加工されたｐＨの低いタンパク質系の飲料、超高温加工されたＣａ強化飲料、高温およびレトルト加工されたミルククリーム、含気酪農食品系、および含気非酪農食品系の形態である、
付記８の食品製品。
【００９５】
（付記１０）
ａ）微結晶セルロース、および、
ｂ）置換度が０．４５〜０．８５であって、組成物の重量に対して５％〜２５％の量のカルボキシメチルセルロース、および、
ｃ）組成物の重量に対して５％〜５０％の量の少なくとも１種の付加的な親水コロイド、を含む安定化剤組成物であって、
前記組成物は、以下の一連の製造ステップ、つまり、
ｉ．十分な摩耗作用および相互作用を得るために、微結晶セルロースのウェットケーキを置換度が０．４５〜０．８５であって、組成物の重量に対して５％〜２５％の量の第１のカルボキシメチルセルロースとともに共押し出し成形するステップ、
ｉｉ．（ａ）ステップｉの微結晶セルロース：カルボキシメチルセルロースの押し出し成形物および少なくとも１種の付加的な親水コロイドを含む水分散体を調製するステップ、または、
（ｂ）少なくとも１種の付加的な親水コロイドをステップｉの製品に混合した後、混合物を押し出し成形するステップ、のいずれかを実行するステップ、および、
ｉｉｉ．ステップｉｉの製品を乾燥するステップ、によって製造される、
安定化剤組成物。
【００９６】
（付記１１）
前記少なくとも１種の付加的な親水コロイドは、デンプンおよび加工デンプン、水溶性および水分散性のガム、多糖類、および合成ポリマー、ペクチン、置換度が低いカルボキシメチルセルロース、置換度が高いカルボキシメチルセルロース、ヒドロキシプロピルセルロース、ヒドロキシプロピルメチルセルロース、アルギン酸塩、カラヤガム、キサンタンガム、アラビアガム、ゲランガム、ＰＧＡ、カラギーナン、トラガント、ガラクトマンナン、蒟蒻の主成分であるグルコマンナン、タマリンドシードガム、およびこれらの混合物からなる群から選ばれる、
付記１０の安定化剤組成物。
【００９７】
（付記１２）
付記１０の安定化剤組成物を含む食用に適する食品製品。
【００９８】
（付記１３）
さらに、フルーツ、野菜、穀物、ナッツ、肉、および酪農食品からなる群から選ばれる少なくとも１種の食品を含む、
付記１２の食品製品。
【００９９】
（付記１４）
エマルション、飲料、ソース、スープ、シロップ、ドレッシング、フィルム、冷菓、発酵食品、パンの詰め物、パンのクリーム、超高温およびレトルト加工されたタンパク質および栄養補助飲料、超高温加工されたｐＨの低いタンパク質系の飲料、超高温加工されたＣａ強化飲料、高温およびレトルト加工されたミルククリーム、含気酪農食品系、および含気非酪農食品系の形態である、
付記１３の食品製品。
【０１００】
（付記１５）
微結晶セルロース、置換度が約０．４５〜約０．８５である第１の水溶性のカルボキシメチルセルロース、および置換度が約０．９〜約１．５である第２の水溶性のカルボキシメチルセルロースを含む組成物を含む工業用懸濁液であって、
前記微結晶セルロースおよび前記カルボキシメチルセルロースの重量比は、約９５：５〜約７０：３０であり、２．６％の固形分濃度で水中に分散した状態で、安定化剤組成物は、少なくとも７５０ｃｐｓの初期粘度、少なくとも３２００ｃｐｓのセットアップ時の粘度、および少なくとも２０Ｐａのセットアップ時のゲル強度Ｇ’を有し、
安定な状態にある前記懸濁液は、医薬品製品、栄養補助製品、化粧品製品、パーソナルケア製品、消費製品、農業用製品、または化学製剤についての使用に適する、
工業用懸濁液。
【０１０１】
（付記１６）
前記カルボキシメチルセルロースは、カルボキシメチルセルロースナトリウムである、
付記１５の工業用懸濁液。